(57)【要約】【課題】待機モードにおいて消費エネルギーを節減可能で、暖房運転への切換え時に直ちに温風を送風可能な温水暖房システムを提供する。【解決手段】温水暖房システム１は、温水を加熱する加熱手段１０と温水を循環させるための循環ポンプ１１と制御ユニット１５とを有する熱源機２と、熱交換器２０と送風機２１と温水の流通を制御可能な制御弁２２と制御ユニット２４を有する暖房端末機３と、熱源機２と暖房端末機３とを接続する循環経路４と、ユーザーにより待機モードに設定されると、制御ユニット１５，  ２４により制御弁２２若しくは循環ポンプ１１の少なくとも一方を介して温水の流量が低減されて、加熱手段１０で消費されるエネルギーが削減される。【選択図】  図１
2004257661.tif 000002
【特許請求の範囲】
【請求項１】
温水を加熱する加熱手段と温水を循環させるための循環ポンプを有する熱源機と、熱交換器と送風機を有する暖房端末機と、熱源機と熱交換器とを接続する循環経路と、前記循環経路に設けられて温水の流通を制御可能な制御弁と、温水暖房システムの制御全般を司る制御手段と、を備えた温水暖房システムにおいて、
前記暖房端末機は、暖房運転中に送風機を停止し且つ熱交換器を温かい状態に保持する待機モードにユーザーが設定可能に構成され、
前記制御手段は、待機モード中には熱交換器を通る温水の流量を通常の暖房運転時よりも低減させるように制御することを特徴とする温水暖房システム。
【請求項２】
前記制御手段は、前記待機モードにおいては熱交換器の温度が設定温度となるように温水の流量を制御することを特徴とする請求項１に記載の温水暖房システム。
【請求項３】
前記制御手段は、待機モードにおいては制御弁を介して熱交換器を通る温水の流量を低減させることを特徴とする請求項１又は２に記載の温水暖房システム。
【請求項４】
前記制御手段は、待機モードにおいては循環ポンプを介して熱交換器を通る温水の流量を低減させることを特徴とする請求項１又は２に記載の温水暖房システム。
【発明の詳細な説明】
【０００１】
【発明の属する技術分野】本発明は、温水暖房システムに関し、特に送風機が設けられた暖房端末機を有する温水暖房システムに関する。
【０００２】
【従来の技術】従来、熱源機により加熱された温水を室内などに設置されている暖房端末機に循環させて熱交換器に供給し、その熱交換器において温水の熱を温風に熱交換し、温められた温風を送風機により送風する温水暖房システムにおいて、ユーザーが一時的に部屋を離れる際などに、送風機を停止可能な待機モードを備えた暖房システムが種々提供されている。
【０００３】
例えば、特許文献１には、暖房端末機の送風機のみを停止させる待機モードを有する温水暖房システムが記載されている。この温水暖房システムが待機モードになっている状態では、送風機は停止するが、熱源機は作動し、その熱源機により加熱された温水は、循環経路を経由して熱交換器をも循環する。それゆえ、この温水暖房システムでは、待機モードにおいても常に熱交換器が温かい状態になっているため、待機モードから通常の暖房運転を開始すると、直ちに温風が送風可能な構成になっている。
【０００４】
【特許文献１】特許第２８９４４７１号公報（２頁、図１，  図２）
【０００５】
【発明が解決しようとする課題】しかし、特許文献１の温水暖房システムでは、熱交換器を温かい状態に保持する待機モードにおいても、循環する温水の流量が通常の暖房運転時と同じ流量であるため、熱源機は暖房運転中と同様に運転される。それゆえ、待機モードにおいても熱源機で消費されるエネルギーは何ら低減されないため、多くのエネルギーが無駄に消費されることになり、温水暖房システムの運転コストが高くなる。
【０００６】
本発明の目的は、待機モードにおいて消費エネルギーを節減できるうえ、待機モードから暖房運転に切換えられた際には直ちに温風を送風可能な温水暖房システムを提供することにある。
【０００７】
【課題を解決するための手段】請求項１に記載の温水暖房システムは、温水を加熱する加熱手段と温水を循環させるための循環ポンプを有する熱源機と、熱交換器と送風機を有する暖房端末機と、熱源機と熱交換器とを接続する循環経路と、前記循環経路に設けられて温水の流通を制御可能な制御弁と、温水暖房システムの制御全般を司る制御手段と、を備えた温水暖房システムにおいて、前記暖房端末機は、暖房運転中に送風機を停止し且つ熱交換器を温かい状態に保持する待機モードにユーザーが設定可能に構成され、前記制御手段は、待機モード中には熱交換器を通る温水の流量を通常の暖房運転時よりも低減させるように制御することを特徴とするものである。
【０００８】
この温水暖房システムは、暖房運転における通常の暖房運転では、熱源機の加熱手段により加熱された温水を循環ポンプにより循環経路を循環させ、その循環経路に接続された暖房端末機の熱交換器により加熱された温水の熱を熱交換することで温められた温風が送風機により送風されて、暖房端末機が設置されている室内などを温める。この通常の暖房運転からユーザーにより待機モードに設定されると、暖房端末機では、送風機は停止されるが、熱源機での消費エネルギーを削減するために、制御手段により通常の暖房運転時よりも熱交換器を通る温水の流量を低減させ、熱交換器が温かい状態に保持されているので、通常の暖房運転に復帰した際に瞬時に温風を送風することができる。
【０００９】
請求項２に記載の温水暖房システムは、請求項１に記載の発明において、前記制御手段は、前記待機モードにおいては熱交換器の温度が設定温度となるように温水の流量を制御することを特徴とするものである。このように、待機モードにおいて、熱交換器の温度が設定温度となるように温水の流量を制御するため、暖房運転に切換えた際に、暖房端末機が直ちに稼働可能である。
【００１０】
請求項３に記載の温水暖房システムは、請求項１又は２に記載の発明において、前記制御手段は、待機モードにおいては制御弁を介して熱交換器を通る温水の流量を低減させることを特徴とするものである。ここで、「制御弁」には、ソレノイドにより駆動可能な電磁弁や、圧電素子で駆動可能な制御弁や、熱を感応して開閉可能な熱動弁などを適用できる。このように、制御手段が制御弁を介して熱交換器を通す温水の流量を低減させるため、温水の流量を低減させる制御が簡単化する。特に、暖房端末機に制御弁が設けられた温水暖房システムにおいては、暖房端末機のみを制御することで温水流量を低減することができるので、更に、制御が簡単化する。
【００１１】
請求項４に記載の温水暖房システムは、請求項１又は２に記載の発明において、前記制御手段は、待機モードにおいては循環ポンプを介して熱交換器を通る温水の流量を低減させることを特徴とするものである。このように、制御手段が循環ポンプを介して熱交換器を通す温水の流量を低減させるため、温水の流量を低減させる制御が簡単化する。特に、温水の流速を制御可能な循環ポンプにより温水の流量を低減させるため、温水の流量を容易に且つ正確に制御することができる。
【００１２】
【発明の実施の形態】本発明の実施の形態について説明する。本実施形態は、暖房運転中に、送風機が駆動して室内に温風を送風する通常暖房運転から、送風機を停止して且つ熱交換器を温かい状態に保持する待機モードへとユーザーが設定可能な家庭用温水暖房システムに本発明を適用した一例である。
【００１３】
図１に示すように、温水暖房システム１は、熱源機２と、暖房端末機３と、熱源機２と暖房端末機３とを接続する循環経路４と、ユーザーが操作するためのリモートコントローラ５（図２参照）（以下リモコンという）などを備えている。
【００１４】
熱源機２には、温水を加熱する加熱手段１０と、温水を循環させるための循環ポンプ１１と、加熱手段１０に燃料ガスを供給するガス供給管１３と、加熱手段１０に空気を供給する送風手段１４と、熱源機２の制御全般を司る制御ユニット１５などが設けられている。加熱手段１０において、暖房端末機３の熱交換器２０に熱を与えて温度低下し熱源機２の熱交換器１６に還流してきた温度低下した温水が燃焼手段１７により加熱される。燃焼手段１７には、ガスを供給するガス供給管１３が接続され、空気を供給するための送風手段１４が設けられている。
【００１５】
ガス供給管１３の途中部には、燃料ガスの流量を調節可能なガス用制御弁１８が設けられ、制御ユニット１５によりガス用制御弁１８を介して燃料ガスの流量を制御可能である。送風手段１４は、送風ファン１９を有し、燃料ガスの流量に応じて送風ファン１９のファン用モーター１９ａの回転数が制御ユニット１５により適宜制御され、燃焼手段１７へ供給される空気の流量が調節される。尚、図示省略したが、ガス供給管１３において、ガス用制御弁１８の前後にも全閉・全開可能な電磁弁が設けられ、暖房運転停止時や、燃料ガスの流量に異常が検出された場合などに全閉して燃料ガスの供給を遮断する。
【００１６】
加熱手段１０で加熱された温水が、循環ポンプ１１により送給管４ａを介して暖房端末機３の熱交換器２０に供給され、その熱交換器２０で温度低下した温水が戻り管４ｂを介して加熱手段１０へと戻される。循環ポンプ１１はポンプ用モーター１１ａで駆動され、このポンプ用モーター１１ａの回転数を制御ユニット１５により制御することで温水の流量を低減することが可能である。
【００１７】
暖房端末機３には、温水により空気を温める熱交換器２０と、送風機用モーター２１ａで駆動される送風機２１と、循環経路４に介装されて温水の流通を制御可能な制御弁２２と、熱交換器２０の出口側の温度を検出するサーミスタ２３と、サーミスタ２３からの検出信号を受けると共に送風機用モータ２１ａと制御弁２２などを制御する制御ユニット２４が設けられている。
【００１８】
暖房端末機３では、加熱手段１０から供給された温水により温められた温風が送風機２１により室内に送風される。制御ユニット１５，２４間では種々の信号を授受可能であり、サーミスタ２３により計測された熱交換器２０の温度も制御ユニット２４から制御ユニット１５に供給される。
【００１９】
次に、この温水暖房システム１の制御系について図２に基づいて説明する。
リモコン５は、ユーザーが温水暖房システム１を操作する為のものであり、このリモコン５には、暖房スイッチ３１、待機モードスイッチ３２、温度設定ボタン３３、設定温度や運転モードなどを表示可能なディスプレイ３０が設けられている。例えば、ユーザーにより待機モードスイッチ３２がＯＮに切換えられると、ディスプレイ３０の右下部に「待機」が表示される。尚、保持型のスイッチからなる待機モードスイッチ３２は、ＯＮに切換えられるとＯＦＦに切換えられるまでその状態を維持する。
【００２０】
温水暖房システム１の制御系は、制御ユニット１５と制御ユニット２４とで構成される。熱源機２は制御ユニット１５で制御され、暖房端末機３は制御ユニット２４で制御されるが、制御ユニット１５，２４間では信号を授受可能である。尚、制御ユニット１５，２４が本願の「制御手段」に相当するが、これらを一体化して１個の制御ユニットで構成してもよい。制御ユニット１５，２４は、マイクロコンピュータ、バス、入出力インターフェース、駆動対象の機器の為の種々の駆動回路などで構成されている。
【００２１】
制御ユニット２４は、ＣＰＵ３５とＲＯＭ３６とＲＡＭ３７とを含むマイクロコンピュータ、バス３８、入出力インターフェース４０、リモコン５との間の無線通信の為の無線通信用インターフェース４２、送風機用モータ２１ａの為の駆動回路４１、制御弁２２の為の駆動回路４５などを有する。入出力インターフェース４０には、マイクロコンピュータに接続されたバス３８と、無線通信用インターフェース４２と、駆動回路４１，４５と、熱交換器２０の温度を検出するサーミスタ２３などが接続され、また、制御ユニット１５も接続されている。
【００２２】
制御ユニット１５には、ポンプ用モータ１１ａと、ガス用制御弁１８と、ファン用モータ１９ａが接続され、これらは制御ユニット１５により制御される。尚、図示を省略するが、制御ユニット１５は、少なくとも、ガス用制御弁１８の為の駆動回路と、送風ファン１９のファン用モーター１９ａの為の駆動回路と、制御弁２２の為の駆動回路を有する。
【００２３】
ＲＯＭ３６には、暖房運転時にユーザーが設定した設定温度となるように制御弁２２、モータ１１ａ、ガス用制御弁１８とを制御する暖房制御用の制御プログラム、待機モードのとき循環経路４を循環する温水の流量を低減させる待機モード制御プログラム（図３、図４、図５参照）などが格納されている。ＲＡＭ３７には、演算処理に必要な種々のデータを記憶する為の種々のワークメモリが設けられている。
【００２４】
ここで、通常暖房運転と、待機モードについて簡単に説明しておく。
通常暖房運転とは、暖房端末機３を稼働させて室内を暖房する運転であり、ユーザーが設定した設定温度に室温を保持するために、燃焼手段１７に燃料ガス流量Ｑｏ  以上の燃料ガスが供給され、その燃料ガスに応じた空気も供給される状態で、燃焼手段１７が熱交換器１６を流通する温水を加熱し、その加熱された温水が循環ポンプ１１により熱交換器２０に送られ、この熱交換器２０で温められた温風が送風機２１により室内に送風される運転状態である。
【００２５】
待機モードとは、送風機２１が停止され、燃焼手段１７の消費エネルギー節減の為に温水の流量が低減され、加熱手段１０と循環ポンプ１１などは作動しており、熱交換器２０が温かい状態に保持され、通常暖房運転に復帰した時に、送風機２１を作動させて直ちに温風を送風可能に維持している状態のことである。
【００２６】
次に、リモコン５の待機スイッチ３２がオンに設定され、制御弁２２若しくは循環ポンプ１１を制御することで、温水の流量を低減して、燃焼手段１７の消費エネルギーを節減する待機モードを達成する待機モード制御プログラムの３つの例について説明する。図３は、第１番目の待機モード制御プログラムの概略フローチャートであり、図中の符号Ｓｉ（ｉ＝１０，１１・・・）は各ステップを示す。尚、ユーザーが２５℃に室温を設定し、室温を２５℃に保つ為に熱交換器２０が３７℃に維持される場合の例である。
【００２７】
暖房スイッチ３１がオン状態で、暖房運転中である場合には（Ｓ１０：Ｙｅｓ  ）待機モードスイッチ３２がＯＦＦであるので、Ｓ２２において待機フラグＦｍが「０」にリセットされ、通常暖房運転が行われる（Ｓ２３）。一方、ユーザーが待機モードに切換える為に、待機モードスイッチ３２をＯＮに切換えると（Ｓ１１：Ｙｅｓ  ）、通常暖房運転から待機モードへの切換えであり、待機フラグＦｍがＦｍ  ＝０である場合（Ｓ１２；Ｙｅｓ  ）には、Ｓ１３〜Ｓ１６が実行され、また、前回も待機モードであった（待機フラグＦｍ＝１）場合には（Ｓ１２：Ｎｏ）、
Ｓ１２からＳ１７へ移行する。
【００２８】
通常暖房運転から待機モードに切換えられた場合には、Ｓ１３において待機フラグＦｍ  が「１」に設定され、Ｓ１４において送風機用モーター２１ａを停止させることで送風機２１が停止され（Ｓ１４）、次に、ガス用制御弁１８を介して燃焼手段１７への燃料ガス流量Ｑが通常暖房運転時の燃料ガス流量Ｑｏ  より所定量Ａ少ない（Ｑｏ  −Ａ）まで減少され（Ｓ１５）、その燃料ガス流量Ｑに対応させてファン用モーター１９ａの回転数を制御することで空気流量が減少されて、燃焼手段１７での消費エネルギーが通常暖房運転時よりも削減された状態で温水の加熱が継続される。
【００２９】
次に、制御弁２２の開度Ｓが通常暖房運転時の開度Ｓｏ  よりも所定量Ｂ減少させることにより（Ｓ１６）、通常暖房運転時よりも温水の流量が低減される。Ｓ３７では、サーミスタ２３により検出された熱交換器２０の温度が３７℃以下ならば（Ｓ１７：Ｎｏ）、開度Ｓが（Ｓｏ  −Ｂ）以上かどうかが判定され（Ｓ１８）、（Ｓｏ  −Ｂ）以下の場合は（Ｓ１８；Ｎｏ）、制御弁２２が制御されて制御弁２２の開度Ｓが所定微小量αだけ増やされてＳ１０へリターンし（Ｓ１９）、制御弁２２の開度Ｓが（Ｓｏ  −Ｂ）以上ならば（Ｓ１８：Ｙｅｓ  ）、開度Ｓがそのまま維持されてＳ１０へリターンする。
【００３０】
一方、Ｓ１７において、サーミスタ２３の温度が３７℃以上ならば（Ｓ１７；Ｙｅｓ  ）、制御弁２２の開度Ｓが最低開度Ｓｍ  以下か否か判定され、最低開度Ｓｍ  以上ならば（Ｓ２０；Ｎｏ）、制御弁２２の開度Ｓが所定微小量αだけ減少され（Ｓ２１）その後Ｓ１０へリターンし、最低開度Ｓｍ  以下ならば、開度Ｓがそのまま維持されてＳ１０へリターンする（Ｓ２０；Ｙｅｓ  ）。尚、最低開度Ｓｍ  は、温水の流通路が僅かに開いている程度の開度であり、適宜変更可能である。
【００３１】
以上説明した温水暖房システムの作用及び効果について説明する。
待機モードにおいては、制御ユニット２４により制御弁２２の開度Ｓが、熱交換器２０が所定の温度３７℃になるように制御されて、循環経路４を循環する温水の流量が低減されるので、加熱手段１０の燃焼手段１７における消費エネルギーが大幅に節減される。そして、暖房端末機３に温水が循環されているため、暖房運転に切換えられた際には、送風機２１を作動させることで、直ちに温風を室内に供給できるから、暖房運転への切換えの応答性に優れる。更に、温水暖房システム１の構成を複雑にすることなく、制御ユニット２４，  １５による簡単な制御のみで、温水暖房システム１の待機モードにおける運転コストを大幅に削減することができる。
【００３２】
次に、前記待機モード制御プログラムを部分的に変更した第２番目の待機モード制御プログラムについて、図４に基づいて説明する。この待機モード制御プログラムは、待機モードのとき、制御ユニット２４により制御弁２２を開弁率Ｄで周期的に開閉して温水の流量を低減し、加熱手段１０の燃焼手段１７で消費されるエネルギーの節減を図るものである。尚、図３のフローチャートのステップと同じステップについては説明を省略し、異なるステップについてのみ説明する。
【００３３】
この第２番目の待機モード制御プログラムにおいては、通常暖房運転時にユーザーにより待機モードスイッチ３２がＯＮに切換えられると（Ｓ３１；Ｙｅｓ  ）、Ｓ３６において制御弁２２の開弁率Ｄが５０％に設定される。ここで、開弁率Ｄとは、制御弁２２のソレノイドを駆動パルスで周期的に駆動して制御弁２２を開閉駆動するものとし、その場合における開弁期間の全期間に対する比率が開弁率である。
【００３４】
次に、サーミスタ２３で検出された熱交換器２０の温度Ｔが３７℃以上か否か判定され、３７℃以下ならば（Ｓ３７；Ｎｏ）、開弁率（Ｄ＋β）が１００％以上かどうかが判定され、１００％以下の場合（Ｓ３８；Ｎｏ）、開弁率Ｄが所定微小量βだけ増加されてＳ３０へリターンし（Ｓ３９）、１００％以上ならば開弁率Ｄがそのまま維持されてＳ３０へリターンする（Ｓ３８；Ｙｅｓ  ）。一方、Ｓ３７において、熱交換器２０の温度が３７℃以上ならば（Ｓ３７；Ｙｅｓ  ）、開弁率（Ｄ−β）が０％以下か否か判定され、０％以上ならば（Ｓ４０；Ｎｏ）、開弁率Ｄが所定微小量βだけ減少されてＳ３０へリターンし（Ｓ４１）、０％以下ならば開弁率Ｄはそのまま維持してＳ３０へリターンする（Ｓ４０；Ｙｅｓ  ）。
【００３５】
以上説明した待機モード制御においては、待機モードにおいて、制御弁２２の開弁率Ｄを制御することで、熱交換器２０を通る温水の流量が低減されて、加熱手段１０で消費されるエネルギーが大幅に節減される。即ち、温水暖房システム１の構造を複雑にすることなく、制御ユニット１５，  ２４による簡単な制御のみで、待機モードにおける温水暖房システム１の運転コストを大幅に節減できる。
【００３６】
次に、前記の図３に記載の待機モード制御プログラムを部分的に変更した第３番目の待機モード制御プログラムについて説明する。図５に示すように、この待機モード制御は、待機モードのとき制御ユニット１５により循環ポンプ１１のポンプ用モーター１１ａの回転数Ｎを減少させることで、温水の循環流量を低減させ、燃焼手段１７で消費されるエネルギーを節減するものである。尚、図３のフローチャートのステップと同じステップについては説明を省略し、異なるステップについてのみ説明する。
【００３７】
この待機モード制御においては、通常暖房運転時にユーザーにより待機モードスイッチ３２がＯＮに切換えられると（Ｓ５１；Ｙｅｓ  ）、Ｓ５２〜Ｓ５５を実行後、循環ポンプ１１のポンプ用モーター１１ａの回転数Ｎが通常暖房運転時の回転数Ｎｏ  より所定量Ｃだけ小さく変更される。次に、サーミスタ２３で検出された熱交換器２０の温度Ｔが３７℃以下ならば（Ｓ５７；Ｎｏ）、回転数Ｎが待機モードにおける回転数Ｎの初期値である（Ｎｏ  −Ｃ）以上か否か判定され（Ｓ５８）、回転数Ｎが（Ｎｏ  −Ｃ）以下ならば回転数Ｎが所定微小量γだけ増加され、回転数Ｎが（Ｎｏ  −Ｃ）以上ならば回転数Ｎはそのまま維持されてＳ５０へリターンする（Ｓ５８；Ｙｅｓ  ）。
【００３８】
一方、Ｓ５７において、熱交換器２０の温度が３７℃以上ならば（Ｓ５７；Ｙｅｓ  ）、回転数Ｎが待機モードにおける最低回転数Ｎｍ  以下か否か判定され（Ｓ６０）、回転数Ｎが最低回転数Ｎｍ  以上ならば（Ｓ６０；Ｎｏ）、回転数Ｎが所定微小量γだけ減少されてＳ５０へリターンし（Ｓ６１）、回転数Ｎが回転数Ｎｍ  以下ならば（Ｓ６０；Ｙｅｓ  ）、回転数Ｎをそのまま維持してＳ５０へリターンする。尚、最低回転数Ｎｍ  は適宜変更可能である。
【００３９】
以上説明した待機モード制御においては、待機モードにおいて、循環ポンプ１１のポンプ用モーター１１ａの回転数Ｎが制御ユニット１５により制御されることで、熱交換器２０を通る温水の流量が低減されて、加熱手段１０で消費されるエネルギーが大幅に節減される。即ち、温水暖房システム１の構造を複雑にすることなく、制御ユニット１５，  ２４による簡単な制御のみで、待機モードにおける温水暖房システム１の運転コストを大幅に節減することができる。
【００４０】
次に、上述の実施形態を部分的に変更する例について説明する。
１）前記の第１〜第３番目の待機モード制御プログラムにおいては、制御弁２２の開度Ｓ、開弁率Ｄ、ポンプ用モーター１１ａの回転数Ｎの何れか一つを制御ユニット２４により制御したが、それらのうちの何れかの２つ又は全部を組み合わせて制御するように構成してもよい。
２）前記の実施形態の待機モードにおいては、燃焼手段１７への燃料ガス流量Ｑを一定量に設定したが、状況に応じてこの燃料ガス流量Ｑをも制御し、更に、燃焼手段１７での消費エネルギーを節減するように構成してもよい。
【００４１】
３）１つの熱源機に対して複数の暖房端末機を備えた温水暖房システムに本発明を適用してもよい。このように構成した場合には、複数の暖房端末機が全て待機モードになっている状態では、制御弁の開度、開弁率若しくはポンプ用モータの回転数の何れかが制御手段により制御されることで温水の流量が低減されるように構成し、複数の暖房端末機の何れか一つでも通常暖房運転を行っている状態では、夫々の暖房端末機の制御弁の開度若しくは開弁率を制御手段により制御されることで温水の流量が低減されるように構成する。
【００４２】
４）上述の実施の形態においては、ソレノイドで駆動可能な制御弁２２及びガス用制御弁１８を適用したが、これら制御弁は特に上記構成に限定されるものではなく、他のモーターなどで制御可能な制御弁や熱的に制御可能な熱動弁などを適用してもよい。
【００４３】
５）上述の実施の形態では、制御ユニット１５，  ２４により温水暖房システム１の制御を行っていたが、熱源機及び暖房端末機のどちらか一方に主の制御手段が設けられ、他方に補助の制御手段が設けられた温水暖房システムに本発明を適用してもよい。
６）上述の全ての実施の形態において、熱交換器２０の温度を３７℃に設定したが、３７℃に限定されるものではなく、適宜変更可能である。
【００４４】
本発明は、以上説明した実施の形態に限定されるものではなく、当業者であれば、本発明の趣旨を逸脱しない範囲で、前記実施の形態に種々の変更を付加して実施することができ、本発明はそれらの変更の形態をも包含するものである。
【００４５】
【発明の効果】請求項１に記載の温水暖房システムによれば、待機モードにおいて、送風機を停止させ、暖房端末機に循環させる温水の流量を低減させるので、待機モードから通常の暖房運転に切り換えると瞬時に温風を送風可能な状態を維持しつつ、熱源機で消費するエネルギーを節減することができ、温水暖房システムの運転コストを大幅に節減することができる。
【００４６】
請求項２に記載の温水暖房システムによれば、待機モードにおいては暖房端末機の熱交換器の温度が設定温度となるように温水の流量を制御するため、待機モードから通常暖房運転に切り換えた場合に直ちに温風を送風することができる。その他、請求項１の発明と同様の効果を奏する。
【００４７】
請求項３に記載の温水暖房システムによれば、制御弁を介して熱交換器を通る温水の流量を低減するので、温水の流量を低減させる制御を簡単化することができる。特に、暖房端末機に制御弁が設けられた温水暖房システムにおいては、暖房端末機のみを制御することで温水流量を低減することができるので、更に、制御が簡単化する。その他、請求項１又は２の発明と同様の効果を奏する。
【００４８】
請求項４に記載の温水暖房システムによれば、循環ポンプを介して熱交換器を通る温水の流量を低減するので、温水の流量を低減する制御を簡単化することができる。特に、温水の流速を制御可能な循環ポンプにより温水の流量を低減させるため、温水の流量を容易に且つ正確に制御することができる。その他、請求項１又は２の発明と同様の効果を奏する。
【図面の簡単な説明】
【図１】本発明の実施の形態に係る温水暖房システムの全体構成図である。
【図２】温水暖房システムの制御系のブロック図である。
【図３】第１番目の待機モード制御プログラムのフローチャートである。
【図４】第２番目の待機モード制御プログラムのフローチャートである。
【図５】第３番目の待機モード制御プログラムのフローチャートである。
【符号の説明】
１      温水暖房システム
２      熱源機
３      暖房端末機
４      循環経路
１０      加熱手段
１１      循環ポンプ
１５，  ２４      制御ユニット
２０      熱交換器
２１      送風機
２２      制御弁
【図１】
2004257661.tif 000003
【図２】
2004257661.tif 000004
【図３】
2004257661.tif 000005
【図４】
2004257661.tif 000006
【図５】
2004257661.tif 000007